(57)【要約】      （修正有）【課題】香りを有し且つ香りが衰えにくい、３Ｄプリンタ用線材の構造を提供する。【解決手段】樹脂層１１と、助剤層１２と、色彩層１３と、香気層１４とからなる。樹脂層１１一側には助剤層１２が結合され、助剤層１２一側には色彩層１３が結合され、色彩層１３一側には香気層１４が結合される。以上の構造により、助剤層１２が樹脂層１１と色彩層１３及び香気層１４の間の結合における適合性を向上させるとともに、色彩層１３が助剤層１２に色を生じさせ、且つ香気層１４が香りを放つ。プリンタ用線材全体が色と香りを有するため、３Ｄプリントされて作られた造形品も香りを有するようになる。【選択図】図２
0003195469.tif 000002
【実用新案登録請求の範囲】
【請求項１】
樹脂層と、助剤層と、色彩層と、香気層とからなる３Ｄプリンタ用線材の構造であって、
前記助剤層は、前記樹脂層が前記色彩層及び前記香気層と結合される際の適合性を向上させるために、前記樹脂層一側に結合され、
前記色彩層は、前記助剤層が色を持つように前記助剤層一側に結合され、
前記香気層は、香りを放つために前記色彩層一側に結合されることを特徴とする、３Ｄプリンタ用線材の構造。
【請求項２】
前記助剤層と前記色彩層と前記香気層は、熔融加工によって前記樹脂層上に結合されることを特徴とする、請求項１に記載の３Ｄプリンタ用線材の構造。
【請求項３】
前記助剤層によって向上される結合における適合性とは、前記樹脂層と前記色彩層と前記香気層の熔融加工における流動性・延伸性・耐熱性であることを特徴とする、請求項２に記載の３Ｄプリンタ用線材の構造。
【請求項４】
前記色彩層の色は、黒色・紫色・白色・緑色・橙色・銀灰色・無色・青色・ピンク色・黄色・赤色のうちのいずれか一つの色であることを特徴とする、請求項１に記載の３Ｄプリンタ用線材の構造。
【請求項５】
前記香気層は、香水の香り・草花の香り・果物の香り・食べ物の香りのうちのいずれか一つの香りを持つことを特徴とする、請求項１に記載の３Ｄプリンタ用線材の構造。
【請求項６】
前記香気層は、耐熱性の香りマスターバッチによってなることを特徴とする、請求項１に記載の３Ｄプリンタ用線材の構造。
【請求項７】
前記色彩層は、色粉或いはカラーマスターバッチのうちのいずれか一つによってなることを特徴とする、請求項１に記載の３Ｄプリンタ用線材の構造。
【考案の詳細な説明】
【技術分野】
【０００１】
本考案は、３Ｄプリンタ用線材に関し、特に香りを有し且つ香りが衰えにくい、３Ｄプリンタ用線材の構造に関する。
【背景技術】
【０００２】
従来の３Ｄプリンタ用線材の構造は、色を有する線材（即ち、色付きのプリンタ用線材）であるため、製作された３Ｄプリント造形物も色が付いているだけであり、現在の市場における需要に応えるためには、大きな改善の余地があるといえる。加えて線材は、高温で溶かしてからプリントするという工程を経ることにより、不快で気分が悪くなる臭気を生じる（例えばプラスチックが高温で溶けた時の臭い）。このようなプリント過程においては、追加設備によって空気を循環させる必要がある。更に、プリント工程において不快で気分が悪くなる臭気を生じるだけでなく、プリント造形物にも臭いがあり、使用上の難点となっている。
【考案の概要】
【考案が解決しようとする課題】
【０００３】
そこで、本考案は、助剤層・色彩層・香気層が順に樹脂層上に結合されて、香りを有するプリンタ用線材をなすとともに、３Ｄプリントされた造形物そのものが香りを有するという技術により、従来の３Ｄプリント材料と造形物において３Ｄプリント造形物が香りを備えず不快で気分が悪くなる臭気を生じるという問題点を解消し、香りを有し且つ香りが衰えにくいという実用進歩性を達成することができる、３Ｄプリンタ用線材の構造を提供することを目的とする。
【課題を解決するための手段】
【０００４】
上述の目的を達成するため、本考案は、樹脂層と、前記樹脂層一側に結合された助剤層と、前記助剤層一側に結合された色彩層と、前記色彩層一側に結合された香気層とからなる。樹脂層・助剤層・色彩層・香気層は、順に重ねられた構造をなすとともに、助剤層は樹脂層と色彩層及び香気層の間における結合の適合性を向上させ、色彩層は助剤層に色を生じさせ、香気層は香りを放つ。以上により、香りと色を有する３Ｄプリンタ用線材をなす。
【考案の効果】
【０００５】
以上の構造によってなる本考案の３Ｄプリンタ用線材は、香りと色を有し、更に本考案を使用して製作された造形物は、香りと色を有し、且つ造形物から発散される香りが一定時間持続するという効果を持つ。尚、３Ｄプリント造形物が有するこれらの効果は、本考案の３Ｄプリンタ用線材における樹脂層・助剤層・色彩層・香気層からなる重層構造による。以上のように、香りを有し且つ香りが衰えにくいプリンタ用線材を提供するという目的を達成する。
【図面の簡単な説明】
【０００６】
【図１】本考案の実施例の斜視図である。
【図２】図１のＡ−Ａ線断面図である。
【図３】本考案を使用した３Ｄプリントの概略図である。
【図４】本考案を使用して３Ｄプリントされた造形物の斜視図である。
【考案を実施するための形態】
【０００７】
図１（本考案の実施例の斜視図）から図４（本考案を使用して３Ｄプリントされた造形物の斜視図）までを参照する。本考案は、樹脂層１１と、助剤層１２と、色彩層１３と、香気層１４とからなる。助剤層１２は、樹脂層１１一側に結合されるとともに、樹脂層１１が色彩層１３及び香気層１４と結合される際の適合性を向上させる。色彩層１３は、助剤層１２一側に結合されて助剤層１２が色を持つようにする。香気層１４は、色彩層１３一側に結合されて香りを放つ。
【０００８】
上述した助剤層１２と色彩層１３と香気層１４は、熔融加工によって樹脂層１１上に結合される。また助剤層１２は、結合における適合性、即ち、樹脂層１１と色彩層１３及び香気層１４の熔融加工における流動性・延伸性・耐熱性を高める。
【０００９】
上述した色彩層１３の色は、黒色・紫色・白色・緑色・橙色・銀灰色・無色・青色・ピンク色・黄色・赤色のうちのいずれか一つの色である。また香気層１４は、香水の香り・草花の香り・果物の香り・食べ物の香りのうちのいずれか一つの香りを持つ。
【００１０】
上述した香気層１４は耐熱性の香りマスターバッチによってなり、色彩層１３は色粉或いはカラーマスターバッチのいずれか一つによってなる。
【００１１】
以上のように、本考案のプリンタ用線材１は、熔融加工によって樹脂層１１・助剤層１２・色彩層１３・香気層１４が結合されて、重層構造を形成することにより、３Ｄプリントに必要な材料をなす。また、使用上の需要や目的に応じて、自由に色彩層１３と香気層１４を調整することにより、プリンタ用線材１の色と香りを変えることができる。例えば、造形物３がバラの花である場合、色彩層１３には赤色の色粉或いはカラーマスターバッチを用い、香気層１４には花の香りを有する耐熱性の香りマスターバッチを用いて製作する。また、食品模型（例えば果物）を製作する場合、色彩層１３には果皮色の色粉或いはカラーマスターバッチを用い、香気層１４には果物の香りを有する耐熱性の香りマスターバッチを用いればよい。このように、造形物３の違いに応じて、色彩層１３と香気層１４を調整・変更し、造形物に合ったプリンタ用線材１を予め製作しておくことにより、後続の製作過程をより手早く行うことができる。
【００１２】
本考案におけるプリンタ用線材１の構造・調整性（色及び香り）・長所を踏まえ、実際の使用状況について説明する。まず、図３（本考案のプリンタ用線材１を使用した３Ｄプリントの概略図）を参照する。３Ｄプリンタ２は熱溶解方式により、プリンタ用線材１を溶かしてから、３Ｄプリントすることにより、プリンタ用線材１を徐々に造形物３へと作り上げていく。次に、図４（本考案のプリンタ用線材１を使用して３Ｄプリントした造形物３の斜視図）を参照する。プリンタ用線材１自体が色と香りを有しているため、作られた造形物３も色彩と香りを有する。製作過程において、色彩層１３と香気層１４は、３Ｄプリンタ２によって熱溶解されてプリントされる際に混ぜられることにより、造形物３が均一に香りを有するようになる。また、造形物３全体から香りが発散されるため、従来の方法で生じていた不快で気分が悪くなる臭気の問題を解消できる。これにより、香りを有し且つ香りが衰えにくいという目的を達成することが可能である。
【００１３】
本考案の３Ｄプリンタ用線材の構造は、以下の点において従来技術を改善することができる。即ち、樹脂層１１・助剤層１２・色彩層１３・香気層１４が結合されることにより、プリンタ用線材１が香りと色を有し、後続加工によって作られた造形物３も同様に香りと色を有し、更に造形物３は、３Ｄプリンタ２の熱溶解加工方式によって色彩層１３と香気層１４が一体となるように混ぜられてなることにより、プリンタ用線材１と造形物３が香りを有し且つ香りが衰えにくいという目的を達成することができる。
【符号の説明】
【００１４】
１            プリンタ用線材
１１   樹脂層
１２   助剤層
１３   色彩層
１４   香気層
２            ３Ｄプリンタ
３            造形物
【図１】
0003195469.tif 000003
【図２】
0003195469.tif 000004
【図３】
0003195469.tif 000005
【図４】
0003195469.tif 000006